(57)【要約】      （修正有）【課題】サブフィールドのアドレス期間中に印加されるパルスの印加時点とパルス幅を改善することにより、ノイズを低減し、ジッター特性の悪化を防止するプラズマディスプレイ装置およびその駆動方法を提供する。【解決手段】複数のアドレス電極を複数のアドレス電極群Ｘａ〜Ｘｄに分け、複数のサブフィールドのアドレス期間中にスキャン電極にスキャンパルスを印加し、複数のアドレス電極群の各電極群にデータパルスをスキャンパルスとともに印加することからなり、少なくとも１つのサブフィールドのアドレス期間中に、複数のアドレス電極群のなかで少なくとも１つの電極群に対する印加時点はほかのアドレス電極群に対する印加時点と異なり、所定数の複数のサブフィールドアドレス期間中に印加されるスキャンパルスの幅は残りサブフィールドのアドレス期間中に印加されるスキャンパルスの幅より大きい。【選択図】図１２ａ
2006146149.tif 000002
【特許請求の範囲】
【請求項１】
スキャン電極、前記スキャン電極と交差する複数のアドレス電極、およびコントロール部を含むプラズマディスプレイパネルの駆動方法において、
前記複数のアドレス電極を複数のアドレス電極群に分ける段階と、
複数のサブフィールドのアドレス期間中に前記スキャン電極にスキャンパルスを印加する段階と、
前記複数のアドレス電極群の各電極群にデータパルスをスキャンパルスとともに印加する段階と、を含んでなり、
少なくとも１つのサブフィールドのアドレス期間中に、前記複数のアドレス電極群のなかで少なくとも１つの電極群に対する印加時点はほかのアドレス電極群に対する印加時点と異なり、
所定数の前記複数のサブフィールドアドレス期間中に印加されるスキャンパルスの幅は残りサブフィールドのアドレス期間中に印加されるスキャンパルスの幅より大きいことを特徴とするプラズマディスプレイパネルの駆動方法。
【請求項２】
前記所定数のサブフィールドは三つの最低加重値のサブフィールドを含むことを特徴とする、請求項１記載のプラズマディスプレイパネルの駆動方法。
【請求項３】
前記所定数のサブフィールドのアドレス期間中に印加されるスキャンパルスの幅は、残りサブフィールドのアドレス期間中に印加されるスキャンパルスの幅の１倍より大きく３倍より小さいことを特徴とする、請求項１記載のプラズマディスプレイパネルの駆動方法。
【請求項４】
前記アドレス電極群の数は１より多いが、アドレス電極の総数よりは少ないことを特徴とする、請求項１記載のプラズマディスプレイパネルの駆動方法。
【請求項５】
アドレス電極群内の前記アドレス電極の各電極に印加されるデータパルスは同一時点で印加されることを特徴とする、請求項１記載のプラズマディスプレイパネルの駆動方法。
【請求項６】
複数のスキャン電極、前記複数のスキャン電極と交差する複数のアドレス電極、およびコントロール部を含むプラズマディスプレイパネルの駆動方法において、
前記複数のアドレス電極を複数のアドレス電極群に分ける段階と、
複数のサブフィールドのアドレス期間中にスキャン順によって前記複数のスキャン電極の各スキャン電極にスキャンパルスを印加する段階と、
前記複数のアドレス電極群の各電極群にデータパルスをスキャンパルスとともに印加する段階と、を含んでなり、
前記複数のアドレス電極群のなかで少なくとも１つの電極群に対する印加時点は少なくとも１つのサブフィールドのアドレス期間中にほかのアドレス電極群に対する印加時点と異なり、
少なくとも１つのサブフィールドアドレス期間中に所定数の前記複数のスキャン電極に印加されるスキャンパルスの幅は残りスキャン電極に印加されるスキャンパルスの幅より大きいことを特徴とするプラズマディスプレイパネルの駆動方法。
【請求項７】
前記所定数のスキャン電極のスキャン順は一番目であることを特徴とする、請求項６記載のプラズマディスプレイパネルの駆動方法。
【請求項８】
前記所定数の複数のスキャン電極に印加されるスキャンパルスの幅は前記第１スキャン電極から漸次減少することを特徴とする、請求項６記載のプラズマディスプレイパネルの駆動方法。
【請求項９】
隣接スキャン電極に印加されるスキャンパルスの幅の差は一定であることを特徴とする、請求項８記載のプラズマディスプレイパネルの駆動方法。
【請求項１０】
最大幅を有するスキャンパルスの幅は最小幅を有するスキャンパルスの幅の１倍より大きく３倍より小さいであることを特徴とする、請求項６記載のプラズマディスプレイパネルの駆動方法。
【請求項１１】
スキャン電極と、
前記スキャン電極と交差する複数のアドレス電極と、
前記スキャン電極を駆動するスキャン駆動部と、
前記複数のアドレス電極を駆動するデータ駆動部と、
１フレーム内の複数のサブフィールドのアドレス期間中に前記スキャン電極にスキャンパルスを印加し、複数のデータ電極群の各電極群にデータパルスをスキャンパルスとともに印加するように構成されるコントロール部と；を含んでなり、
前記複数のサブフィールドのなかで少なくとも１つのサブフィールドのアドレス期間中に前記複数のデータ電極群のなかで少なくとも１つの電極群に対する印加時点はほかのデータ電極群に対する印加時点と異なり、前記複数のデータ電極群の各電極群は１つ以上のアドレス電極を含み、
所定数の前記複数のサブフィールドのアドレス期間中に印加されるスキャンパルスの幅は残りサブフィールドのアドレス期間中に印加されるスキャンパルスの幅より大きいことを特徴とするプラズマディスプレイ装置。
【請求項１２】
前記所定数のサブフィールドは三つの最低加重値のサブフィールドを含むことを特徴とする、請求項１１に記載のプラズマディスプレイ装置。
【請求項１３】
前記所定数のサブフィールドのアドレス期間中に印加されるスキャンパルスの幅は、残りサブフィールドのアドレス期間中に印加されるスキャンパルスの幅の１倍より大きく３倍より小さいことを特徴とする、請求項１１記載のプラズマディスプレイ装置。
【請求項１４】
複数のスキャン電極と、
前記複数のスキャン電極と交差する複数のアドレス電極と、
前記複数のスキャン電極を駆動するスキャン駆動部と、
前記複数のアドレス電極を駆動するデータ駆動部と、
１フレーム内の複数のサブフィールドのアドレス期間中にスキャン順によって前記複数のスキャン電極にスキャンパルスを印加し、複数のデータ電極群の各電極群にデータパルスをスキャンパルスとともに印加するように構成されるコントロール部と、を含んでなり、
前記複数のサブフィールドのなかで少なくとも１つのサブフィールドのアドレス期間中に前記複数のデータ電極群のなかで少なくとも１つの電極群に対する印加時点はほかのデータ電極群に対する印加時点と異なり、前記複数のデータ電極群の各電極群は１つ以上のアドレス電極を含み、
少なくとも１つのサブフィールドのアドレス期間中に所定数の前記複数のスキャン電極に印加されるスキャンパルスの幅は残りスキャン電極に印加されるスキャンパルスの幅より大きいことを特徴とするプラズマディスプレイ装置。
【請求項１５】
前記所定数のスキャン電極のスキャン順は一番目であることを特徴とする、請求項１４に記載のプラズマディスプレイ装置。
【請求項１６】
前記所定数の複数のスキャン電極に印加されるスキャンパルスの幅は前記第１スキャン電極から漸次減少することを特徴とする、請求項１４記載のプラズマディスプレイ装置。
【請求項１７】
隣接スキャン電極に印加されるスキャンパルスの幅の差は一定であることを特徴とする、請求項１６記載のプラズマディスプレイ装置。
【請求項１８】
最大幅を有するスキャンパルスの幅は最小幅を有するスキャンパルスの幅の１倍より大きく３倍より小さいことを特徴とする、請求項１４記載のプラズマディスプレイ装置。
【発明の詳細な説明】
【技術分野】
【０００１】
本発明はプラズマディスプレイパネルに係り、より詳しくは、サブフィールドのアドレス期間中に印加されるパルスの印加時点とパルス幅を改善することにより、ノイズを低減し、ジッター特性の悪化を防止するプラズマディスプレイ装置およびその駆動方法に関する。
【背景技術】
【０００２】
一般に、プラズマディスプレイパネルは、前面基板と背面基板との間に形成された隔壁が単位セルまたは放電セルを形成する。各セル内には、ネオン（Ｎｅ）、ヘリウム（Ｈｅ）、あるいはネオンおよびヘリウムの混合気体（Ｎｅ＋Ｈｅ）のような主放電気体と少量のキセノンを含有する不活性ガスが充填されている。高周波電圧により放電されるとき、不活性ガスは真空紫外線（Ｖａｃｕｕｍ Ｕｌｔｒａｖｉｏｌｅｔ Ｒａｙｓ）を発生して、隔壁間に形成された蛍光体を発光させて画像を具現する。このようなプラズマディスプレイパネルは薄型および／またはスリム型への構成が可能なので、次世代表示装置として脚光を浴びている。
【０００３】
図１は一般のプラズマディスプレイパネル１００の構造を示す斜視図である。図１に示すように、プラズマディスプレイパネル１００は、画像がディスプレイされる表示面である前面ガラス１０１にスキャン電極１０２とサステイン電極１０３が対をなして形成された複数の電極対が配列された前面基板１００と、背面をなす背面ガラス１１１上に、前述した複数の電極対１０２、１３０と交差するように複数のアドレス電極１１３が配列された背面基板１１０とが互いに一定距離を置いて平行に結合される。
【０００４】
スキャン電極１０２およびサステイン電極１０３は、ＩＴＯ物質から形成された透明電極ａと金属材質から製作されたバス電極ｂとからなる。スキャン電極１０２およびサステイン電極１０３は、放電電流を制限し、電極対間を絶縁させる１つ以上の上部誘電体層１０４で覆われ、上部誘電体層１０４の上面には、放電条件を容易にするため、酸化マグネシウム（ＭｇＯ）が蒸着された保護層１０５が形成される。
【０００５】
背面基板１１０には、複数の放電空間、つまり放電セルを平行に形成させるためのストライプパターン（またはウェルタイプ）の隔壁１１２が配列される。また、アドレス放電を行って真空紫外線を発生させる複数のアドレス電極１１３が隔壁１１２に対して平行に配置される。背面基板１１０の上側の面には、アドレス放電の際、画像表示のための可視光線を放出するＲ、Ｇ、Ｂ蛍光体１１４が塗布される。アドレス電極１１３と蛍光体１１４との間には、アドレス電極１１３を保護するための下部誘電体層１１５が形成される。
【０００６】
このような構造のプラズマディスプレイパネルには、放電セルがマトリックス構造に複数形成され、放電セルに所定のパルスを供給するための駆動回路を含む駆動モジュール（図示せず）が設けられる。このようなプラズマディスプレイパネルと駆動モジュールの結合関係は図２に示す。
【０００７】
図２に示すように、駆動モジュールは、たとえばデータドライバＩＣ２０、スキャンドライバＩＣ２１、およびサステインボード２３を含んでなる。データドライバＩＣ２０は、画像信号が処理された後、プラズマディスプレイパネル２２にデータパルスを供給する。プラズマディスプレイパネルは、スキャンドライバＩＣ２１から出力されたスキャンパルスおよびサステインパルスを受ける。また、プラズマディスプレイパネルは、サステインボード２３から出力されたサステインパルスを受ける。データパルス、スキャンパルス、サステインパルスなどを受けたプラズマディスプレイパネル２２に含まれた多数のセルのなかで、スキャンパルスにより選択されたセルに放電が起こり、放電が起こったセルは所定の輝度で発光する。ここで、データドライバＩＣ２０は、ＦＰＣ（Ｆｌｅｘｉｂｌｅ Ｐｒｉｎｔｅｄ Ｃｉｒｃｕｉｔ、図示せず）のような連結体を介して各アドレス電極Ｘ１〜Ｘｎに所定のデータパルスを出力する。この場合、Ｘ電極はデータ電極という。
【０００８】
図３は従来のプラズマディスプレイパネルの画像階調を具現する方法を示す図である。図３に示すように、１フレームは発光回数の異なる多数のサブフィールドに分けられ、各サブフィールドは、全てのセルを初期化させるためのリセット期間（ＲＰＤ）、放電されるセルを選択するためのアドレス期間（ＡＰＤ）、および放電回数によって階調を具現するサステイン期間（ＳＰＤ）に分けられる。たとえば、２５６階調で画像を表示しようとする場合、１／６０秒に相当するフレーム期間（たとえば、１６．６７ｍｓ）は、図３のように、八つのサブフィールドＳＦ１〜ＳＦ８に分けられ、八つのサブフィールドＳＦ１〜ＳＦ８のそれぞれは、リセット期間、アドレス期間、およびサステイン期間中にさらに分けられる。
【０００９】
各サブフィールドのリセット期間およびアドレス期間は同一である。しかし、図３に示すように、サステイン期間は各サブフィールドＳＦ１〜ＳＦ８で２ｎ（ｎ＝０、１、２、３、４、５、６、７）の比率で増加される。このように、隣接サブフィールドでサステイン期間が変わるので、選択された各セルを放電させるのに使用されるサステイン期間、つまり各放電セルで具現されるサステイン放電回数を調節して特定画像の階調を表現することになる。
【００１０】
図４は従来のプラズマディスプレイパネルの駆動方法による駆動波形を示す図である。図４に示すように、特定のサブフィールドにおいて、Ｘ電極、Ｙ電極およびＺ電極に関連した波形は、全てのセルを初期化させるためのリセット期間、放電すべきセルを選択するためのアドレス期間、選択されたセルの放電を維持させるためのサステイン期間、および各放電セル内の壁電荷を消去するための消去期間に分けられる。
【００１１】
リセット期間は、セットアップ期間とセットダウン期間中にさらに分けられる。セットアップ期間中には、全てのスキャン電極に上昇ランプ波形（Ｒａｍｐ−ｕｐ）が同時に印加される。その結果、アドレス電極とサステイン電極上には正極性の壁電荷が蓄積され、スキャン電極上には負極性の壁電荷が蓄積される。
【００１２】
セットダウン期間中には、上昇ランプ波形のピーク電圧より低い正極性電圧から、グラウンドレベル電圧より低い電圧レベルまで下降する下降ランプ波形（Ｒａｍｐ−ｄｏｗｎ）が全てのスキャン電極に同時に印加されてセル内で微弱な消去放電を引き起こす。また、残りの壁電荷は、アドレス放電が安定に起こり得る程度にセル内で均一になる。
【００１３】
アドレス期間中には、負極性スキャンパルスがスキャン電極に順次印加され、正極性のデータパルスが前記スキャンパルスと同期されて特定のアドレス電極に印加される。このスキャンパルスとデータパルス間の電圧差がリセット期間中に生成された壁電圧に加わるにしたがい、データパルスが印加される放電セル内にはアドレス放電が起こる。選択されたセル内には、サステイン電圧（Ｖｓ）が印加されるときに放電が起こり得る程度の壁電荷が形成される。サステイン電極には、セットダウン期間とアドレス期間中にサステイン電極とスキャン電極との電圧差を減らして、スキャン電極との誤放電が起こらないように、正極性の電圧（Ｖｚ）が印加される。
【００１４】
サステイン期間中には、スキャン電極とサステイン電極にサステインパルスが交番的に印加される。サステインパルスが印加される都度、アドレス期間中に選択されたセルでサステイン放電、つまり表示放電が起こる。
【００１５】
最後に、消去期間中には（すなわち、サステイン放電が完了した後には）、パルス幅が小さくて電圧レベルが低い消去ランプ波形（Ｒａｍｐ−ｅｒｓ）がサステイン電極に供給されて、全てのセル内に残留する壁電荷を消去させる。
【００１６】
前述したように、アドレス期間中にスキャンパルスとデータパルスの印加時点は同一である（すなわち、パルスは同一時点で各電極に印加される）。図５に示すように、従来の駆動方法によると、スキャンパルスがスキャン電極に印加される同一時点（ｔｓ）にデータパルスがアドレス電極に印加される。しかし、図６に示すように、データパルスとスキャンパルスが同時に印加されると、スキャン電極とサステイン電極に印加された波形でノイズが発生する。
【００１７】
このようなノイズはパネルの静電容量によるカップリングにより発生する。図６に示すように、データパルスの立ち上がりおよび立ち下がりで、つまりデータパルスが急上昇および急下降する時点では、スキャン電極とサステイン電極に印加される波形でノイズが発生する。このノイズはアドレス放電を不安的にしてプラズマディスプレイパネルの駆動効率を低減させる。
【発明の開示】
【発明が解決しようとする課題】
【００１８】
したがって、本発明は、前述したような従来の限界および欠点による問題点を防止するプラズマディスプレイ装置およびその駆動方法を提供することにその目的がある。
【課題を解決するための手段】
【００１９】
上記目的を達成するため、本発明によると、スキャン電極、前記スキャン電極と交差する複数のアドレス電極、およびコントロール部を含むプラズマディスプレイパネルの駆動方法において、前記複数のアドレス電極を複数のアドレス電極群に分ける段階と；複数のサブフィールドのアドレス期間中に前記スキャン電極にスキャンパルスを印加する段階と；前記複数のアドレス電極群の各電極群にデータパルスをスキャンパルスとともに印加する段階と；を含んでなり、少なくとも１つのサブフィールドのアドレス期間中に、前記複数のアドレス電極群のなかで少なくとも１つの電極群に対する印加時点はほかのアドレス電極群に対する印加時点と異なり、所定数の前記複数のサブフィールドアドレス期間中に印加されるスキャンパルスの幅は残りのサブフィールドのアドレス期間中に印加されるスキャンパルスの幅より大きいことを特徴とする、プラズマディスプレイパネルの駆動方法が提供される。
【００２０】
本発明のほかの観点によると、スキャン電極と；前記スキャン電極と交差する複数のアドレス電極と；前記スキャン電極を駆動するスキャン駆動部と；前記複数のアドレス電極を駆動するデータ駆動部と；１フレーム内の複数のサブフィールドのアドレス期間中に前記スキャン電極にスキャンパルスを印加し、複数のデータ電極群の各電極群にデータパルスをスキャンパルスとともに印加するように構成されるコントロール部と；を含んでなり、  前記複数のサブフィールドのなかで少なくとも１つのサブフィールドのアドレス期間中に前記複数のデータ電極群のなかで少なくとも１つの電極群に対する印加時点はほかのデータ電極群に対する印加時点と異なり、前記複数のデータ電極群の各電極群は１つ以上のアドレス電極を含み、所定数の前記複数のサブフィールドのアドレス期間中に印加されるスキャンパルスの幅は残りサブフィールドのアドレス期間中に印加されるスキャンパルスの幅より大きいことを特徴とする、プラズマディスプレイ装置が提供される。
【００２１】
本発明のさらにほかの観点によると、複数のスキャン電極、前記複数のスキャン電極と交差する複数のアドレス電極、およびコントロール部を含むプラズマディスプレイパネルの駆動方法において、前記複数のアドレス電極を複数のアドレス電極群に分ける段階と；複数のサブフィールドのアドレス期間中にスキャン順によって前記複数のスキャン電極の各スキャン電極にスキャンパルスを印加する段階と；前記複数のアドレス電極群の各電極群にデータパルスをスキャンパルスとともに印加する段階と；を含んでなり、前記複数のアドレス電極群のなかで少なくとも１つの電極群に対する印加時点は少なくとも１つのサブフィールドのアドレス期間中にほかのアドレス電極群に対する印加時点と異なり、少なくとも１つのサブフィールドアドレス期間中に所定数の前記複数のスキャン電極に印加されるスキャンパルスの幅は残りスキャン電極に印加されるスキャンパルスの幅より大きいことを特徴とする、プラズマディスプレイパネルの駆動方法が提供される。
【００２２】
本発明のさらにほかの観点によると、複数のスキャン電極と；前記複数のスキャン電極と交差する複数のアドレス電極と；前記複数のスキャン電極を駆動するスキャン駆動部と；前記複数のアドレス電極を駆動するデータ駆動部と；１フレーム内の複数のサブフィールドのアドレス期間中にスキャン順によって前記複数のスキャン電極にスキャンパルスを印加し、複数のデータ電極群の各電極群にデータパルスをスキャンパルスとともに印加するように構成されるコントロール部と；を含んでなり、前記複数のサブフィールドのなかで少なくとも１つのサブフィールドのアドレス期間中に前記複数のデータ電極群のなかで少なくとも１つの電極群に対する印加時点はほかのデータ電極群に対する印加時点と異なり、前記複数のデータ電極群の各電極群は１つ以上のアドレス電極を含み、少なくとも１つのサブフィールドのアドレス期間中に所定数の前記複数のスキャン電極に印加されるスキャンパルスの幅は残りスキャン電極に印加されるスキャンパルスの幅より大きいことを特徴とする、プラズマディスプレイ装置が提供される。
【００２３】
本発明に於いて、前記所定数のサブフィールドは三つの最低加重値のサブフィールドを含むようにしても良い。
【００２４】
本発明に於いて、前記所定数のサブフィールドのアドレス期間中に印加されるスキャンパルスの幅は、残りサブフィールドのアドレス期間中に印加されるスキャンパルスの幅より１倍より大きく〜３倍より小さくしても良い。
【００２５】
本発明に於いて、前記アドレス電極群の数は１より多いが、アドレス電極の総数よりは少なくしても良い。
【００２６】
本発明に於いて、アドレス電極群内の前記アドレス電極の各電極に印加されるデータパルスは同一時点で印加されるようにしても良い。
【発明の効果】
【００２７】
以上のように、本発明は、アドレス期間中にアドレス電極に印加されるデータパルスの印加時点とスキャンパルスの幅を調節して、スキャン電極およびサステイン電極に印加される波形のノイズを減少させ、アドレスジッター特性の悪化を防止してアドレス放電を安定させる。したがって、本発明は、パネルの駆動を安定させて駆動効率を高める。
【発明を実施するための最良の形態】
【００２８】
以下に添付図面を参照しながら、本発明の実施形態によるプラズマディスプレイ装置およびその駆動方法を詳細に説明する。
【００２９】
〔第１実施形態〕
図７は本発明の実施形態によるプラズマディスプレイ装置を示す図である。本発明によるプラズマディスプレイ装置は、プラズマディスプレイパネル１００と、アドレス電極Ｘ１〜Ｘｍにデータを供給するためのデータ駆動部１２２と、スキャン電極Ｙ１〜Ｙｎを駆動するためのスキャン駆動部１２３と、共通電極であるサステイン電極Ｚを駆動するためのサステイン駆動部１２４と、前記データ駆動部１２２、前記スキャン駆動部１２３、および前記サステイン駆動部１２４を制御するためのタイミングコントロール部１２１と、前記それぞれの駆動部１２２、１２３、１２４に必要な駆動電圧を供給するための駆動電圧発生部１２５とを含む。
【００３０】
プラズマディスプレイパネル１００は、上部基板（図示せず）と下部基板（図示せず）が一定間隔を置いて結合されてなる。上部基板には、多数の電極、たとえばスキャン電極Ｙ１〜Ｙｎ-およびサステインＺが対をなして形成され、下部基板には、スキャン電極Ｙ１〜Ｙｎおよびサステイン電極Ｚと交差するように、アドレス電極Ｘ１〜Ｘｍ-が形成される。
【００３１】
データ駆動部１２２には、逆ガンマ補正回路、誤差拡散回路などにより逆ガンマ補正および誤差拡散された後、サブフィールドマッピング回路により各サブフィールドにマッピングされたデータが供給される。このようなデータ駆動部１２２は、タイミングコントロール部１２１からのタイミング制御信号ＣＴＲＸに応じて、前記マッピングされたデータをサンプリングしラッチした後、そのデータをアドレス電極Ｘ１〜Ｘｍ-に供給する。
【００３２】
スキャン駆動部１２３は、タイミングコントロール部１２１の制御下に、リセット期間中に上昇ランプ波形（Ｒａｍｐ−ｕｐ）と下降ランプ波形（Ｒａｍｐ−ｄｏｗｎ）をスキャン電極Ｙ１〜Ｙｎに供給する。また、スキャン駆動部１２３は、アドレス期間中にスキャン電圧：−Ｖｙのスキャンパルスをスキャン電極Ｙ１〜Ｙｎに順次供給し、サステイン期間中にサステインパルスｓｕｓをスキャン電極Ｙ１〜Ｙｎ-に供給する。したがって、タイミングコントロール部１２１は、アドレス電極Ｘ１〜Ｘｍ-に印加されたデータパルスとスキャン電極Ｙ１〜Ｙｎ-に印加されたスキャンパルスの印加時点を制御する。
【００３３】
サステイン駆動部１２４は、タイミングコントロール部１２１の制御下に、セットダウン期間およびアドレス期間中にバイアス電圧Ｖｓをサステイン電極Ｚに供給する。サステイン期間中に、サステイン駆動部１２４はスキャン駆動部１２３と交互に動作してサステインパルスをサステイン電極Ｚに供給する。また、サステイン駆動部１２４により供給されたサステインパルスの幅は、先にサステイン期間中に印加されたサステインパルスの幅がほかのサステインパルスの幅より大きいように制御される。言い換えれば、アドレス期間後に供給された最初のサステインパルスである第１サステインパルスはサステイン期間中に印加されたほかのサステインパルスの幅より大きい幅を有する。
【００３４】
タイミングコントロール部１２１は、垂直／水平同期信号とクロック信号（図示せず）を受け、各駆動部１２２、１２３、１２４の動作タイミングおよび同期化を制御するための制御信号ＣＴＲＸ、ＣＴＲＹ、ＣＴＲＺを発生する。特に、データ駆動部１２２およびスキャン駆動部１２３を制御して、フレームの少なくとも１つのサブフィールドではアドレス電極を複数の電極群に分け、アドレス期間中に少なくとも１つのアドレス電極群に印加されるデータパルスの印加時点をスキャン電極に印加されるスキャンパルスの印加時点と異なるようにする。
【００３５】
一方、データ制御信号ＣＴＲＸには、データをサンプリングするためのサンプリングクロック、ラッチ制御信号、およびエネルギー回収回路および駆動スイッチ素子のオン／オフタイムを制御するためのスイッチ制御信号が含まれる。スキャン制御信号ＣＴＲＹには、スキャン駆動部１２３内のエネルギー回収回路と駆動スイッチ素子のオン／オフタイムを制御するためのスイッチ制御信号が含まれ、サステイン制御信号ＣＴＲＺには、サステイン駆動部１２４内のエネルギー回収回路およびスイッチ駆動素子のオン／オフタイムを制御するためのスイッチ制御信号が含まれる。
【００３６】
駆動電圧発生部１２５は、ディスプレイパネルを駆動するのに必要な電圧、たとえばセットアップ電圧Ｖｓｅｔｕｐ、スキャン共通電圧Ｖｓｃａｎ−ｃｏｍ、スキャン電圧−Ｖｙ、サステイン電圧Ｖｓ、データ電圧Ｖｄなどを発生する。このような駆動電圧は放電ガスの組成または放電セルの構造によって異なる。
【００３７】
スキャン駆動部１２３が、少なくとも１つのサブフィールドのアドレス期間中に、スキャン電圧：−Ｖｙのスキャンパルスをスキャン電極Ｙ１〜Ｙｎに順次供給するとき、多数のスキャン電極Ｙ１〜Ｙｍのいずれか１つ以上に印加されたスキャンパルスの幅は少なくとも１つのほかのスキャン電極に印加されたスキャンパルスより大きい。好ましくは、所定数のスキャン電極Ｙ１〜Ｙａ（ａはｍ未満の正の整数）に印加されるスキャンパルスの幅は残り（ｍ−ａ）のスキャン電極に印加されるスキャンパルスの幅より大きい。また、スキャン駆動部１２３は、フレームの少なくともサブフィールドのなかで少なくとも１つのサブフィールドのアドレス期間中にスキャン電極Ｙ１〜Ｙｍに印加されるスキャンパルスの幅を制御して、第１スキャン電極Ｙ１から最終スキャン電極電極Ｙｍに行くほどにスキャンパルスの幅を減少するようにする。
【００３８】
図８ａ〜図８ｅの波形は、少なくとも１つのサブフィールドのアドレス期間中にアドレス電極に印加されるデータパルスの印加時点がアドレス期間中に印加されるスキャンパルスの印加時点とは異なることを示す。
【００３９】
たとえば、図８ａに示すように、スキャン電極Ｙに印加されるスキャンパルスの印加時点をｔｓであると仮定すると、アドレス電極Ｘ１〜Ｘｎ-の配置順にしたがい、各アドレス電極にはスキャンパルスが印加される時点より所定因子Δｔだけ前または後の時点でデータパルスが印加される。アドレス電極Ｘ１の場合は、スキャンパルスより２Δｔだけ前または後の時点、つまりｔｓ−２Δｔにデータパルスが印加される。また、アドレス電極Ｘ２には、スキャン電極Ｙにスキャンパルスが印加される時点よりΔｔだけ前の時点、つまりｔｓ−Δｔにデータパルスが印加される。このように、電極Ｘ（ｎ−１）には時点ｔｓ＋Δｔでデータパルスが印加され、電極Ｘｎには時点ｔｓ＋２Δｔでデータパルスが印加される。
【００４０】
これとは異なり、図８ｂに示すように、全てのデータパルスの印加時点はスキャンパルスの印加時点の後にすることができる。たとえば、アドレス電極Ｘ１には、スキャン電極Ｙにスキャンパルスが印加される時点よりΔｔだけ遅れた時点、つまり時点ｔｓ＋Δｔでデータパルスが印加される。アドレス電極Ｘ２には、スキャン電極Ｙにスキャンパルスが印加される時点より２Δｔだけ遅れた時点でデータパルスが印加されるので、アドレス電極Ｘｎには、スキャンパルスの印加時点よりｎΔｔだけ後の時点でデータパルスが印加される。
【００４１】
図８ｃは、アドレス放電開始電圧（ｆｉｒｉｎｇ ｖｏｌｔａｇｅ）が１７０Ｖ、スキャンパルスの電圧が１００Ｖ、データパルスの電圧が７０Ｖであると仮定するとき、図８ｂのＡ領域の詳細図を示す。図示のように、まずスキャン電極Ｙに印加されるスキャンパルスによりスキャン電極Ｙとアドレス電極Ｘ１との電圧差が１００Ｖとなる。スキャンパルスの印加後にΔｔの時間が経った後、アドレス電極Ｘ１に印加されるデータパルスにより、スキャン電極Ｙとアドレス電極Ｘ１との電圧差が１７０Ｖに上昇する。これにより、スキャン電極Ｙとアドレス電極Ｘ１との電圧差がアドレス放電開始電圧となり、スキャン電極Ｙとアドレス電極Ｘ１-との間でアドレス放電が発生する。
【００４２】
また、アドレス電極Ｘ１〜Ｘｎに印加されるデータパルスの印加時点は、スキャン電極Ｙに印加されるスキャンパルスの印加時点より所定因子Δｔだけ先立つように設定することもできるが、このような駆動波形は図８ｄに示す。
【００４３】
たとえば、図８ｄに示すように、スキャン電極Ｙに印加されるスキャンパルスの印加時点をｔｓであると仮定すると、各アドレス電極には、アドレス電極Ｘ１〜Ｘｎ-の配置順にしたがい、スキャンパルスが印加される時点より所定因子Δｔだけ前の時点でデータパルスが印加される。
【００４４】
図８ｅは、アドレス放電開始電圧が１７０Ｖ、スキャンパルスの電圧が１００Ｖ、データパルス電圧が７０Ｖであると仮定するとき、図８ｄのＢ領域の詳細図を示す。Ｂ領域においては、まずアドレス電極Ｘ１に印加されるデータパルスにより、スキャン電極Ｙとアドレス電極Ｘ１との電圧差が７０Ｖとなる。データパルスの印加後にΔｔの時間が経った後、スキャン電極Ｙに印加されるスキャンパルスにより、スキャン電極Ｙとアドレス電極Ｘ１〜Ｘｎとの電圧差がアドレス放電開始電圧となり、スキャン電極Ｙとアドレス電極Ｘ１との間でアドレス放電が発生する。
【００４５】
前述したように、図８ａ〜図８ｅにおいては、スキャン電極Ｙおよびアドレス電極Ｘ１〜Ｘｎに印加されるスキャンパルスおよびデータパルスの印加時点間の時間差をΔｔの概念を導入して説明した。また、アドレス電極Ｘ１〜Ｘｎに印加されるデータパルスの印加時点の差を同一方式で説明した。ここで、たとえばスキャン電極Ｙに印加されるスキャンパルスの印加時点をｔｓであるとすると、スキャンパルスの印加時点に最も近接したデータパルスの印加時点との時間差をΔｔとし、スキャンパルスの印加時点と、そのつぎに近接したデータパルスの印加時点との差をΔｔの２倍、つまり２Δｔとする。このようなΔｔの値は一定に維持される。すなわち、スキャン電極Ｙに印加されるスキャンパルスの印加時点とアドレス電極Ｘ１〜Ｘｎに印加されるデータパルスの印加時点を相違するようにしながらそれぞれのアドレス電極Ｘ１〜Ｘｎに印加されるデータパルスの印加時点間の差を同一に維持する。
【００４６】
アドレス電極Ｘ１〜Ｘｎ-に印加されるデータパルスの印加時点間の差は一定であるが、スキャンパルスの印加時点と、スキャンパルスの印加時点に最も近接したデータパルスの印加時点との時間差は一定にするか、あるいは変えることもできる。たとえば、第１スキャン電極Ｙ１に印加されるスキャンパルスの印加時点と、このスキャンパルスの印加時点に最も近接したデータパルスの印加時点との時間差はΔｔであり、同一アドレス期間中に第２スキャン電極Ｙ２に印加されるスキャンパルスの印加時点と、このスキャンパルスに最も近接したデータパルスの印加時点との時間差は２Δｔであり得る。
【００４７】
これとは異なり、スキャンパルスの印加時点と、これに最も近接して印加されたデータパルスの印加時点との時間差はいろいろのサブフィールドによって異なり得る。スキャンパルスの印加時点ｔｓと、これに最も近接したデータパルスの印加時点との時間差は、限定されたアドレス期間の時間を考慮して、１０ナノ秒（ｎｓ）ないし１０００ナノ秒（ｎｓ）に設定することが好ましい。また、スキャンパルスのパルス幅の観点で見ると、Δｔの値は所定スキャンパルス幅の１％〜１００％の範囲内で設定することが好ましい。たとえば、スキャンパルスのパルス幅が１μｓであると仮定すると、印加時点間の時間差Δｔは１０ｎｓ〜１０００ｎｓの範囲が好ましい。
【００４８】
隣接したアドレス電極に印加されるデータパルスの印加時点間の時間差は変更することもできる。たとえば、スキャン電極Ｙにスキャンパルスが印加される時点を０ｎｓとし、第１アドレス電極Ｘ１に１０ｎｓの時点でデータパルスが印加されるとすると、スキャンパルスの印加時点とデータパルスの印加時点との時間差は１０ｎｓである。そして、第２アドレス電極Ｘ２には２０ｎｓの時点でデータパルスが印加され、スキャンパルスの印加時点とアドレス電極Ｘ２に印加されるデータパルスの印加時点との時間差は２０ｎｓとなる。しかし、アドレス電極Ｘ１に印加されるデータパルスの印加時点とアドレス電極Ｘ２に印加されるデータパルスの印加時点との時間差は１０ｎｓである。そして、アドレス電極Ｘ３には４０ｎｓの時点でデータパルスが印加され、スキャン電極Ｙに印加されるスキャンパルスの印加時点とアドレス電極Ｘ３に印加されるデータパルスの印加時点との時間差は４０ｎｓとなる。したがって、アドレス電極Ｘ２に印加されるデータパルスの印加時点とアドレス電極Ｘ３に印加されるデータパルスの印加時点との時間差は２０ｎｓとなる。
【００４９】
前述したように、スキャン電極Ｙに印加されるスキャンパルスの印加時点が、アドレス電極Ｘ１〜Ｘｎに印加されるデータパルスの印加時点と異なると、アドレス電極Ｘ１〜Ｘｎに印加されるとデータパルスの各印加時点でパネルの静電容量によるカップリングにより、スキャン電極およびサステイン電極に印加される波形でのノイズが低減される。この低減されたノイズは図１０ａおよび図１０ｂに示す。
【００５０】
また、図８ａ〜図８ｅには示していないが、フレームの所定数のサブフィールドのアドレス期間中にスキャン電極に印加されるスキャンパルスの幅は、フレームの残りサブフィールド期間中にスキャン電極に印加されるスキャンパルスの幅より大きい。前記大きいスキャンパルスが印加される所定数のサブフィールドはプラズマディスプレイパネルの放電特性によって変更可能である。たとえば、前記所定数のサブフィールドは、最低加重値のサブフィールドのみを含むか、あるいは加重値の大きさ順の多数のサブフィールドを含むことができる。これは、サステイン期間の長さが相対的に短いサブフィールドで相対的にアドレスジッター特性が深刻になり得るからである。スキャン電極に印加されるスキャンパルスの幅が相対的に大きいサブフィールドは、最低加重値のサブフィールドから三番目に低い加重値のサブフィールドまで、たとえば図３に示すようにフレームが分けられた第１サブフィールド、第２サブフィールド、および第３サブフィールドであることが好ましい。
【００５１】
図９ａは１つのフレームの多数のサブフィールドで印加される波形を示す。図９ａに示すように、第１、第２、および第３サブフィールドのアドレス期間中にスキャン電極に印加されるスキャンパルスの幅は、残りのサブフィールド、つまり第４、第５、第６、第７、および第８サブフィールドのアドレス期間中にスキャン電極に印加されるスキャンパルスの幅より大きく設定する。図９ａのＤ領域、すなわち第１サブフィールドのアドレス期間中にスキャン電極に印加されるスキャンパルスの幅は図９ｂに示すようなＷａであって、図９ａのＥ領域、つまり第６サブフィールドのアドレス期間中にスキャン電極に印加されるスキャンパルスの、図９ｃに示すような幅Ｗｂより大きい。この幅Ｗａは、残りサブフィールドのアドレス期間中に印加されるスキャンパルスの幅Ｗｂの１倍〜３倍であるのが好ましい。例えば、幅Ｗａは、残りサブフィールドのアドレス期間中に印加されるスキャンパルスの幅Ｗｂの１倍より大きく３倍より小さくする。これは、スキャンパルスとデータパルスとの間の充分な放電持続時間（Ｄｕｒａｔｉｏｎ Ｔｉｍｅ）を確保するとともにアドレス放電のジッター特性の悪化を防止するためである。
【００５２】
図９ｄは第１ないし第３サブフィールドでのアドレス放電持続時間を示す。図９ｄに示すように、スキャンパルスの印加時点とデータパルスの印加時点との時間差がΔｔであると仮定すると、アドレス放電の放電持続時間（つまり、スキャンパルスとアドレスパルスが重畳する時間）は、スキャンパルスの幅Ｗａからデータパルスの印加時点とスキャンパルスの印加時点との時間差を差し引いた値、つまりＷａ−Δｔである。同様に、残りサブフィールド（つまり、スキャンパルスがＷｂであるサブフィールド）のアドレス放電の放電持続時間は、図９ｅに示すように、Ｗｂ−Δｔである。これらｔａとｔｂとの間には０＜（ｔａ−ｔｂ）の関係が成り立つ。結局、相対的に大きいパルス幅Ｗａを有するスキャンパルスが印加される初期サブフィールドで充分な放電持続時間が確保されるので、アドレスジッターの悪化を防止することができる。
【００５３】
図１０ａを参照すると、図６に示す従来の駆動方法によるノイズと比較して、スキャン電極とサステイン電極に印加される波形のノイズが相当に減少したことが分かる。このような減少したノイズを図１０ｂに詳細に示す。本発明の駆動方法は、スキャンパルスがスキャン電極Ｙに印加される印加時点と同一時点で全てのアドレス電極Ｘ１〜Ｘｎ-にはパルスを印加しないので、ノイズを減少させる。データパルスが急上昇する時点で、スキャン電極とサステイン電極に印加される波形で発生する上昇ノイズが減少する。同様に、データパルスが急下降する時点では、スキャン電極とサステイン電極に印加される波形で発生する下降ノイズが減少する。
【００５４】
サステイン期間が比較的短い初期サブフィールドでは、スキャンパルスのパルス幅をほかのサブフィールドで印加されるスキャンパルスの幅より大きくして、アドレスジッター特性の悪化を防止する。結局、プラズマディスプレイパネルのアドレス放電を安定させることにより、単一駆動部でパネル全体をスキャニングするシングルスキャン方式が可能になる。
【００５５】
図１１は本発明のほかの実施形態によるプラズマディスプレイパネルを示すもので、アドレス電極Ｘ１〜Ｘｎが多数のアドレス電極群に分けられている。図１１に示すように、アドレスＸ１〜Ｘｎ電極を、たとえば四つのアドレス電極群に分けた。アドレス電極Ｘａにはアドレス電極群Ｘａ１〜Ｘａｎ／４１０１が含まれ、アドレス電極群Ｘｂにはアドレス電極Ｘｂ（ｎ＋１）／４〜Ｘｂ２ｎ／４１０２が含まれ、アドレス電極群ＸｃにはＸｃ（１＋２ｎ）／４〜Ｘｃ３ｎ／４１０３が含まれ、アドレス電極群ＸｄにはＸｄ（１＋３ｎ）／４〜Ｘｄｎ１０４が含まれる。前記電極群のなかで少なくとも１つの電極群に属するアドレス電極には、スキャン電極Ｙに印加されるスキャンパルスの印加時点と異なる時点でデータパルスを印加する。すなわち、電極群Ｘａに属する全ての電極Ｘａ１〜Ｘａｎ／４には、スキャン電極Ｙに印加されるスキャンパルスの印加時点と異なる時点でデータパルスを印加するが、前記電極群Ｘａに属する電極Ｘａ１〜Ｘａｎ／４に印加されるデータパルスの印加時点は全て同一である。また、残り電極群１０２、１０３、１０４に属する電極には、スキャンパルスの印加時点と同一であるかまたは異なる時点でデータパルスを印加できるが、全ての印加時点（残りの電極群１０２、１０３、１０４の印加時点のそれぞれ）は第１電極群１０１に属する電極のデータパルスの印加時点と異なる。
【００５６】
図１１においては、各アドレス電極群１０１、１０２、１０３、１０４に属するアドレス電極の数を同一にしたが、各アドレス電極群１０１、１０２、１０３、１０４に含まれるアドレス電極の数を変更して設定することも可能であり、アドレス電極群の数も変更可能である。また、アドレス電極群の数Ｎは最小２つから最大アドレス電極の総数より小さい範囲、つまり２≦Ｎ≦ｎ−１の範囲で設定できる。
【００５７】
〔第２実施形態〕
図１２ａ〜図１２ｃは本発明の第２実施形態によるプラズマディスプレイパネルの駆動波形において、アドレス電極にデータパルスを印加する例を示す図である。図１２ａ〜図１２ｃに示すように、アドレス電極Ｘ１〜Ｘｎ-を複数のアドレス電極群Ｘａ、Ｘｂ、Ｘｃ、Ｘｄに分け、少なくとも１つのサブフィールドのアドレス期間中に複数のアドレス電極群のなかで少なくとも１つのアドレス電極群に属するアドレス電極に印加されるデータパルスの印加時点はスキャン電極Ｙに印加されるスキャンパルスの印加時点と異なる。また、図８ａ〜図８ｃに示す場合と同様に、サステイン期間中に印加される第１サステインパルスの幅はほかのサステインパルスより長い。
【００５８】
たとえば、図１２ａに示すように、スキャン電極Ｙに印加されるスキャンパルスの印加時点をｔｓであると仮定するとき、アドレス電極群の配置順にしたがい、各アドレス電極群に属する電極に印加されるデータパルスはスキャン電極に印加されるスキャンパルスの印加時点の前後に印加される。電極群Ｘａに属するアドレス電極Ｘａ１〜Ｘａｎ／４には、スキャン電極Ｙにスキャンパルスが印加される時点より２Δｔだけ先立つ時点、つまり時点ｔｓ−２Δｔでデータパルスが印加される。また、電極群Ｘｂに属するアドレス電極Ｘｂ１＋（ｎ＋４）〜Ｘｂ２ｂ／４には、スキャン電極Ｙにスキャンパルスが印加される時点よりΔｔだけ先立つ時点、つまり時点ｔｓ−Δｔでデータパルスが印加される。このような方法により、電極Ｘｃに属するアドレス電極Ｘｃ（２ｎ＋１）／４〜Ｘｃ３ｎ／４には、時点ｔｓ＋Δｔでデータパルスが印加され、電極群Ｘｄに属するアドレス電極Ｘｄ１＋（３ｎ／４）〜Ｘｄｎには、時点ｔｓ＋Δｔでデータパルスが印加される。なお、複数の電極群のなかで１つの電極群のアドレス電極に印加されるデータパルスの印加時点は、図１２ｂに示すようにスキャン電極Ｙに印加されるスキャンパルスの印加時点の後に来るように設定することができる。
【００５９】
これとは異なり、図１２ｂに示すように、各電極群に印加されるデータパルスの印加時点はスキャン電極Ｙに印加されるスキャンパルスの印加時点の後に来るか、あるいは図１２ｃに示すように、全てのデータパルスの印加時点がスキャン電極の印加時点の前に来ることができる。図１２ｂおよび図１２ｃにおいて、データパルスの全ての印加時点はスキャンパルスの印加時点の前後に来るように設定するが、複数のアドレス電極群のなかで１つのアドレス電極群のみに属するアドレス電極に印加されるデータパルスの印加時点はスキャンパルスの印加時点の前後に来るように設定することができる。すなわち、印加時点をスキャンパルスの前後に設定するアドレス電極群の数は変更することができる。例えば、図１２ｂに於いて、少なくとも１つのアドレス電極群のアドレス電極に印加するデータパルスの印加時点をスキャンパルスの印加時点の前に設定しても良いし、図１２ｃに於いて、少なくとも１つのアドレス電極群のアドレス電極に印加するデータパルスの印加時点をスキャンパルスの印加時点の後に設定しても良い。
【００６０】
本実施形態は、前述した以前の実施形態と同様に、少なくとも１つのサブフィールドのアドレス期間中にアドレス電極に印加されるデータパルスの印加時点がアドレス期間中に印加されるスキャンパルスの印加時点と異なることに加えて、所定数のサブフィールドでスキャン電極に印加されるスキャンパルスの幅は残りのサブフィールドに印加されるスキャンパルスの幅より大きい。
【００６１】
前述したように、１つのサブフィールド内でデータパルスの印加時点は、スキャン電極に印加されるスキャンパルスの印加時点と異なるように設定することができる。これとは異なり、１つのフレームを基準に、スキャン電極Ｙに印加されるスキャンパルスの印加時点とアドレス電極Ｘ１〜Ｘｎまたはアドレス電極群Ｘａ、Ｘｂ、Ｘｃ、Ｘｄに印加されるデータパルスの印加時点を互いに異なるようにするとともにアドレス電極に印加されるデータパルスの印加時点を互いに異なるように設定することができる。その駆動波形は図１３に示す。
【００６２】
図１３は本発明によるプラズマディスプレイパネルを駆動するための波形を示す図である。図１３、特に領域Ｆ、Ｇ、Ｈに示すように、１フレーム内のいろいろのサブフィールドで多様なパネル駆動方法を用いることができる。たとえば、第４サブフィールドで、プラズマディスプレイパネルは図８に示すように駆動される。この場合、データ電極Ｘ１〜Ｘｎに印加されるデータパルスの印加時点は、図８を参照して先に説明したように、スキャン電極の印加時点の前後に設定する。しかし、領域Ｇに示す第５サブフィールドでは、パネルが図８ｂに示すように駆動される。この場合、データパルスの印加時点の全ては、図８ｂを参照して説明したように、スキャンパルスの印加時点の後に設定する。最後に、第６サブフィールドでは、パネルが図８ｄに示すように駆動される。この場合、データパルスの印加時点の全ては、図８ｄを参照して説明したように、スキャンパルスの印加時点の前に設定する。
【００６３】
したがって、アドレス期間中に発生するアドレス放電は安定になり、よってプラズマディスプレイパネルの駆動効率の減少を防止することができる。また、初期サステイン期間が比較的短いサブフィールドでは、スキャンパルスのパルス幅を残りサブフィールドで印加されるスキャンパルスの幅より大きく設定する。したがって、アドレスジッターによる悪化を防止することができる。結局、アドレス放電が安定になるため、１つの駆動部でパネル全体をスキャニングするシングルスキャンモードが可能である。
【００６４】
前述した駆動波形においては、１フレームでサブフィールド別にスキャンパルスのパルス幅を互いに異なるようにしてスキャンパルスの幅を制御する。しかし、図１４に示すように、所定のサブフィールド内でスキャン電極Ｙ１〜Ｙｍ-（ｍは正の整数）に印加されるスキャンパルスの幅をそれぞれのスキャン電極別に異なるように設定することもできる。
【００６５】
図１４に示すように、所定数のサブフィールドのアドレス期間中にスキャン電極Ｙ１〜Ｙｍのそれぞれに印加されるスキャンパルスの幅は互いに異なる。より具体的には、スキャン電極に印加されるパルスの幅は電極の配置によって隣接電極間で所定量だけ減少する。したがって、スキャン電極Ｙ１のスキャンパルス幅はスキャン電極Ｙ２のスキャンパルス幅より大きく、スキャン電極Ｙ２のスキャンパルス幅はスキャン電極Ｙ３のスキャンパルス幅より大きく、このような関係がスキャン電極Ｙｍまでなされる。スキャンパルスはスキャン電極に順次印加されるため、先に印加されるスキャンパルスの幅を増加させると、サブフィールドのアドレス期間でジッター特性を向上させる。各スキャンパルスの幅は図１４で相違するが、アドレス放電ジッター特性に基づいて所定数のスキャンパルスの幅のみが増加することもできる。
【００６６】
たとえば、図１４に示すように、スキャン電極Ｙ１に印加されるスキャンパルスのパルス幅はＷ１、スキャン電極Ｙ２に印加されるスキャンパルスのパルス幅はＷ２、スキャン電極Ｙ３に印加されるスキャンパルスのパルス幅はＷ３、スキャン電極Ｙ４に印加されるスキャンパルスのパルス幅はＷ４、このような方式でスキャン電極Ｙｍに印加されるスキャンパルスのパルス幅はＷｍ（ｍ＞４）であると仮定すると、パルス幅Ｗ１−Ｗｍ間にはＷｍ＜Ｗ４＜Ｗ３＜Ｗ２＜Ｗ１の関係が成り立つ。スキャン電極Ｙ１〜Ｙｍ間のスキャンパルスの幅の範囲は１倍〜３倍が好ましい。たとえば、最大幅のスキャンパルスのパルス幅Ｗ１は最小幅のスキャンパルスのパルス幅Ｗｍの１倍〜３倍、つまりＷｍ＜Ｗ１＜３Ｗｍである。このようにスキャンパルス幅の大きさを設定する理由は、スキャンパルスとデータパルス間の放電持続時間とアドレス放電のジッター特性を考慮しなければならないからである。
【００６７】
また、各スキャン電極間のスキャンパルスの幅ΔＷの変化は、図１４に示すように、一定であるか、あるいは変更可能である。
【００６８】
たとえば、データパルスの印加時点とスキャンパルスの印加時点が相違した場合がある。以上では、全てのアドレス電極Ｘ１〜Ｘｎにスキャンパルスが印加される時点と異なる時点でデータパルスを印加するか、または全てのアドレス電極を配置順にしたがい同一数のアドレス電極を有する四つの電極群に分け、各電極群別にスキャンパルスが印加される時点と異なる時点でデータパルスを印加する方法を示して説明したが、全てのアドレス電極Ｘ１〜Ｘｎのなかで、奇数番目のアドレス電極を一電極群に設定し、偶数番目のアドレス電極をほかの電極群に設定して、同一電極群内の全てのアドレス電極には同一時点でデータパルスを印加し、それぞれの電極群のデータパルス印加時点をスキャンパルスが印加される時点と異なるように設定する方法も可能である。
【００６９】
また、アドレス電極Ｘ１〜Ｘｎ-を、複数の電極群に分ける際に、複数の電極群の１つ以上の電極群に於いて異なる数のアドレス電極を有するようにし、各電極群別にスキャンパルスの印加時点と異なる時点でデータパルスが印加されるようにする方法も可能である。たとえば、スキャン電極Ｙに印加されるスキャンパルスの印加時点をｔｓであると仮定するとき、アドレス電極Ｘ１には、時点ｔｓ−Δｔでデータパルスを印加し、アドレス電極Ｘ２〜Ｘ１０には、時点ｔｓ＋３Δｔでデータパルスを印加し、アドレス電極Ｘ１１〜Ｘｎには、時点ｔｓ＋４Δｔでデータパルスを印加することができる。このように、本発明によるプラズマディスプレイパネルの駆動方法は多様に変形可能である。
【００７０】
以上、添付図面を参照しながら本発明の好適な実施形態について説明したが、本発明はかかる例に限定されなく、当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００７１】
【図１】従来のプラズマディスプレイパネルの構造を示す斜視図である。
【図２】プラズマディスプレイパネルと駆動モジュールの結合関係を示す図である。
【図３】従来のプラズマディスプレイパネルの画像階調を具現する方法を示す図である。
【図４】従来のプラズマディスプレイパネルの駆動方法による駆動波形を示す図である。
【図５】従来のプラズマディスプレイパネルの駆動方法において、アドレス期間中に印加されるパルスの印加時点を説明する図である。
【図６】従来のプラズマディスプレイパネルの駆動方法において、アドレス期間中に発生するノイズを説明する図である。
【図７】本発明の実施形態によるプラズマディスプレイ装置を示す図である。
【図８ａ】本発明による駆動波形を説明する図である。
【図８ｂ】本発明による駆動波形を説明する図である。
【図８ｃ】本発明による駆動波形を説明する図である。
【図８ｄ】本発明による駆動波形を説明する図である。
【図８ｅ】本発明による駆動波形を説明する図である。
【図９ａ】本発明によるサブフィールド別スキャンパルスの幅を説明する図である。
【図９ｂ】本発明によるサブフィールド別スキャンパルスの幅を説明する図である。
【図９ｃ】本発明によるサブフィールド別スキャンパルスの幅を説明する図である。
【図９ｄ】本発明によるサブフィールド別スキャンパルスの幅を説明する図である。
【図９ｅ】本発明によるサブフィールド別スキャンパルスの幅を説明する図である。
【図１０ａ】本発明により減少されるノイズを説明する図である。
【図１０ｂ】本発明により減少されるノイズを説明する図である。
【図１１】本発明の実施形態によるアドレス電極Ｘ１〜Ｘｎを多数群に分けることを示す図である。
【図１２ａ】本発明のほかの実施形態による駆動波形を説明する図である。
【図１２ｂ】本発明のほかの実施形態による駆動波形を説明する図である。
【図１２ｃ】本発明のほかの実施形態による駆動波形を説明する図である。
【図１３】本発明による駆動波形を説明する図である。
【図１４】本発明のほかの実施形態による駆動波形を説明する図である。
【符号の説明】
【００７２】
１００ プラズマディスプレイパネル
１０１ 電極群Ｘａ
１０２ 電極群Ｘｂ
１０３ 電極群Ｘｃ
１０４ 電極群Ｘｄ
１２１ タイミングコントロール部
１２２ 駆動部
１２３ スキャン駆動部
１２４ サステイン駆動部
１２５ 駆動電圧発生部
Ｘ-１〜Ｘｍ-アドレス電極
Ｙ１〜Ｙｎスキャン電極
Ｚ サステイン電極
【図９ｄ】
2006146149.tif 000003
【図９ｅ】
2006146149.tif 000004
【図１】
2006146149.tif 000005
【図２】
2006146149.tif 000006
【図３】
2006146149.tif 000007
【図４】
2006146149.tif 000008
【図５】
2006146149.tif 000009
【図６】
2006146149.tif 000010
【図７】
2006146149.tif 000011
【図８ａ】
2006146149.tif 000012
【図８ｂ】
2006146149.tif 000013
【図８ｃ】
2006146149.tif 000014
【図８ｄ】
2006146149.tif 000015
【図８ｅ】
2006146149.tif 000016
【図９ａ】
2006146149.tif 000017
【図９ｂ】
2006146149.tif 000018
【図９ｃ】
2006146149.tif 000019
【図１０ａ】
2006146149.tif 000020
【図１０ｂ】
2006146149.tif 000021
【図１１】
2006146149.tif 000022
【図１２ａ】
2006146149.tif 000023
【図１２ｂ】
2006146149.tif 000024
【図１２ｃ】
2006146149.tif 000025
【図１３】
2006146149.tif 000026
【図１４】
2006146149.tif 000027